【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
近隣認識ネットワーク中で動作するワイヤレスデバイス中での電力消費の低減を可能にする方法であって、
ワイヤレスデバイスが、第１のメッセージを生成すること、前記第１のメッセージは、ビーコン送信ウィンドウ情報を示し、前記ビーコン送信ウィンドウ情報は、１つまたは複数のビーコンメッセージが前記ワイヤレスデバイスまたは他のワイヤレスデバイスによって送信可能である第１の時間間隔を示す、と、
前記近隣認識ネットワーク上で前記第１のメッセージを送信することと
を備え、前記ビーコン送信ウィンドウ情報は、ビーコン送信間隔の周期性または持続時間をさらに示す、方法。
【請求項２】
前記メッセージは、発見クエリウィンドウ情報または発見クエリ応答ウィンドウ情報のうちの１つまたは複数をさらに示し、
発見クエリウィンドウ情報は、発見クエリメッセージが前記近隣認識ネットワーク上で送信可能である第２の時間間隔を示し、各発見クエリメッセージは、１つまたは複数のサービスを要求し、
発見クエリ応答ウィンドウ情報は、発見クエリ応答メッセージが前記近隣認識ネットワーク上で送信可能である第３の時間間隔を示し、各発見クエリ応答メッセージは、発見クエリメッセージに応答し、前記発見クエリ応答メッセージを送信するノードによって提供される１つまたは複数のサービスを示す、
請求項１に記載の方法。
【請求項３】
１つまたは複数のネットワークパラメータを決定することと、
前記１つまたは複数のネットワークパラメータに基づいて、１つまたは複数のビーコンメッセージが前記ワイヤレスデバイスまたは他のワイヤレスデバイスによって送信可能である第２の時間間隔を決定することと、
前記ワイヤレスデバイスが、第２のメッセージを生成すること、前記第２のメッセージは、ビーコン送信ウィンドウ情報を示し、前記ビーコン送信ウィンドウ情報は、前記第２の時間間隔を示す、と、
前記近隣認識ネットワーク上で前記第２のメッセージを送信することと
をさらに備える、請求項１に記載の方法。
【請求項４】
１つまたは複数のネットワークパラメータを決定することと、
前記１つまたは複数のネットワークパラメータに基づいて、１つまたは複数の発見要求メッセージが前記ワイヤレスデバイスまたは他のワイヤレスデバイスによって送信可能である第４の時間間隔を決定することと、
前記１つまたは複数のネットワークパラメータに基づいて、１つまたは複数の発見応答メッセージが前記ワイヤレスデバイスまたは他のワイヤレスデバイスによって送信可能である第５の時間間隔を決定することと、
前記ワイヤレスデバイスによって、第２のメッセージを生成すること、前記第２のメッセージは、前記第４の時間間隔を示す発見要求送信ウィンドウ情報を示し、前記第５の時間間隔を示す発見応答送信ウィンドウ情報をさらに示す、と、
前記近隣認識ネットワーク上で前記第２のメッセージを送信することと
をさらに備え、前記１つまたは複数のネットワークパラメータは、同期誤差パラメータ、ネットワークオーバーヘッドパラメータ、およびネットワーク衝突パラメータのうちの１つまたは複数を含む、請求項２に記載の方法。
【請求項５】
近隣認識ネットワーク中で動作するワイヤレスデバイス中での電力消費の低減を可能にするための装置であって、
第１のメッセージを生成するように構成されたプロセッサ、前記第１のメッセージは、ビーコン送信ウィンドウ情報を示し、前記ビーコン送信ウィンドウ情報は、１つまたは複数のビーコンメッセージが前記装置または他の装置によって送信可能である第１の時間間隔を示す、と、
前記近隣認識ネットワーク上で前記第１のメッセージを送信するように構成された送信機と
を備え、前記ビーコン送信ウィンドウ情報は、ビーコン送信間隔の周期性または持続時間をさらに示す、装置。
【請求項６】
前記プロセッサは、
１つまたは複数のネットワークパラメータを決定することと、
前記１つまたは複数のネットワークパラメータに基づいて、１つまたは複数のビーコンメッセージが前記ワイヤレスデバイスまたは他のワイヤレスデバイスによって送信可能である第２の時間間隔を決定することと、
第２のメッセージを生成すること、前記第２のメッセージは、ビーコン送信ウィンドウ情報を示し、前記ビーコン送信ウィンドウ情報は、前記第２の時間間隔を示す、と
を行うようにさらに構成され、
前記送信機は、前記近隣認識ネットワーク上で前記第２のメッセージを送信するようにさらに構成される、
請求項５に記載の装置。
【請求項７】
前記メッセージは、発見クエリウィンドウ情報または発見クエリ応答ウィンドウ情報を示し、
前記発見クエリウィンドウ情報は、発見クエリメッセージが前記近隣認識ネットワーク上で送信可能である第２の時間間隔を示し、各発見クエリメッセージは、１つまたは複数のサービスを要求し、
発見クエリ応答ウィンドウ情報は、発見クエリ応答メッセージが前記近隣認識ネットワーク上で送信可能である第３の時間間隔を示し、各発見クエリ応答メッセージは、前記発見クエリメッセージのうちの１つに応答し、前記発見クエリ応答メッセージを送信するノードによって提供される１つまたは複数のサービスを示す、
請求項５に記載の装置。
【請求項８】
前記プロセッサは、
１つまたは複数のネットワークパラメータを決定することと、
前記１つまたは複数のネットワークパラメータに基づいて、１つまたは複数の発見要求メッセージが前記ワイヤレスデバイスまたは他のワイヤレスデバイスによって送信可能である第４の時間間隔を決定することと、
前記１つまたは複数のネットワークパラメータに基づいて、１つまたは複数の発見応答メッセージが前記ワイヤレスデバイスまたは他のワイヤレスデバイスによって送信可能である第５の時間間隔を決定することと、
第２のメッセージを生成すること、前記第２のメッセージが、前記第４の時間間隔を示す発見要求送信ウィンドウ情報を示し、前記第５の時間間隔を示す発見応答送信ウィンドウ情報をさらに示す、と
を行うようにさらに構成され、
前記送信機は、前記近隣認識ネットワーク上で前記第２のメッセージを送信するようにさらに構成され、
前記１つまたは複数のネットワークパラメータは、同期誤差パラメータ、ネットワークオーバーヘッドパラメータ、およびネットワーク衝突パラメータのうちの１つまたは複数を含む、
請求項７に記載の装置。
【請求項９】
近隣認識ネットワーク中で動作するとき、ワイヤレスデバイスにおいて電力を節約する方法であって、
ワイヤレスデバイスが、第１のメッセージを受信すること、前記第１のメッセージは、ビーコン送信ウィンドウ情報を示し、前記ビーコン送信ウィンドウ情報は、１つまたは複数のビーコンメッセージが前記ワイヤレスデバイスまたは他のワイヤレスデバイスによって前記近隣認識ネットワーク上で送信可能である第１の時間間隔を含む、と、
前記第１の時間間隔の外のある時間期間中にスリープ状態に入ることと、
前記第１の時間間隔中にビーコンメッセージを受信または送信することと
を備える、方法。
【請求項１０】
発見クエリウィンドウ情報または発見クエリ応答ウィンドウ情報を示すメッセージを受信することをさらに備え、
発見クエリウィンドウ情報は、１つまたは複数の発見クエリメッセージが前記近隣認識ネットワーク上で送信可能である第２の時間間隔を示し、各発見クエリメッセージは、１つまたは複数のサービスを要求し、
発見クエリ応答ウィンドウ情報は、発見クエリ応答メッセージが前記近隣認識ネットワーク上で送信可能である第３の時間間隔を示し、各発見クエリ応答メッセージは、発見クエリメッセージに応答し、前記発見応答メッセージを送信するノードによって提供される１つまたは複数のサービスを示す、
前記スリープ状態は、前記第１の時間間隔と前記第２の時間間隔の両方の外のある時間期間中に入る、
請求項９に記載の方法。
【請求項１１】
発見クエリウィンドウ開始時間およびランダム遅延に基づいて発見クエリメッセージのための送信時間を決定することと、
前記決定された送信時間に前記発見クエリメッセージを送信することと
をさらに備え、前記ランダム遅延は、ＣＳＭＡバックオフ遅延を含む、請求項１０に記載の方法。
【請求項１２】
近隣認識ネットワーク中で動作するとき、ワイヤレスデバイスにおいて電力を節約するための装置であって、
メッセージを受信するように構成された受信機と、前記メッセージは、ビーコン送信ウィンドウ情報を示し、前記ビーコン送信ウィンドウ情報は、１つまたは複数のビーコンメッセージが前記装置または他の装置によって前記近隣認識ネットワーク上で送信可能である第１の時間間隔を含む、
前記ワイヤレスデバイスに、前記第１の時間間隔の外のある時間期間中にスリープ状態に入ることを行わせるように構成されたプロセッサと、
前記第１の時間間隔中にビーコンメッセージを受信または送信することを行うように構成された受信機と
を備える、装置。
【請求項１３】
発見クエリウィンドウ情報または発見クエリ応答ウィンドウ情報を示すメッセージを受信するように構成された受信機をさらに備え、前記発見クエリウィンドウ情報は、１つまたは複数の発見クエリメッセージは、前記近隣認識ネットワーク上で送信可能である第２の時間間隔を含み、各発見クエリメッセージは、１つまたは複数のサービスを要求し、
前記発見クエリ応答ウィンドウ情報は、１つまたは複数の発見クエリ応答メッセージが前記近隣認識ネットワーク上で送信可能である第３の時間間隔を示し、各発見クエリ応答メッセージは、発見クエリメッセージに応答して送信され、前記発見クエリ応答メッセージの送信機によって提供される１つまたは複数のサービスを示し、
前記プロセッサは、前記ワイヤレスデバイスに、前記第１の時間間隔と前記第２の時間間隔の両方の外のある時間期間中に前記スリープ状態に入ることを行わせるようにさらに構成された、
請求項１２に記載の装置。
【請求項１４】
発見クエリウィンドウ開始時間およびランダム遅延に基づいて発見クエリメッセージのための送信時間を決定するように構成されたプロセッサと、
前記決定された送信時間に前記発見クエリメッセージを送信するように構成された送信機と
をさらに備え、前記ランダム遅延は、ＣＳＭＡバックオフ遅延を含む、請求項１３に記載の装置。
【請求項１５】
コンピュータ上で実行されると、請求項１乃至４または請求項９乃至１１のいずれか１項に従う方法を実行するための命令を備える、コンピュータプログラム。
【手続補正２】
【補正対象書類名】明細書
【補正対象項目名】０１３０
【補正方法】変更
【補正の内容】
【０１３０】
[0142]同様に、動作は特定の順序で図面に示されているが、これは、望ましい結果を達成するために、そのような動作が、示される特定の順序でもしくは順番に実行されることを、またはすべての図示の動作が実行されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。いくつかの場合では、特許請求の範囲に記載の行為は、異なる順序で実行され、依然として望ましい結果を達成することができる。
以下に、本願出願の当初の特許請求の範囲に記載された発明を付記する。
［Ｃ１］
近隣認識ネットワーク中で動作するワイヤレスデバイス中での電力消費の低減を可能にする方法であって、
ワイヤレスデバイスが、第１のメッセージを生成すること、前記第１のメッセージは、ビーコン送信ウィンドウ情報を示し、前記ビーコン送信ウィンドウ情報は、１つまたは複数のビーコンメッセージが前記ワイヤレスデバイスまたは他のワイヤレスデバイスによって送信可能である第１の時間間隔を示す、と、
前記近隣認識ネットワーク上で前記第１のメッセージを送信することと
を備える、方法。
［Ｃ２］
前記ビーコン送信ウィンドウ情報は、ビーコン送信間隔の周期性または持続時間をさらに示す、
［Ｃ１］に記載の方法。
［Ｃ３］
前記メッセージは、発見クエリウィンドウ情報または発見クエリ応答ウィンドウ情報のうちの１つまたは複数をさらに示し、
発見クエリウィンドウ情報は、発見クエリメッセージが前記近隣認識ネットワーク上で送信可能である第２の時間間隔を示し、各発見クエリメッセージは、１つまたは複数のサービスを要求し、
発見クエリ応答ウィンドウ情報は、発見クエリ応答メッセージが前記近隣認識ネットワーク上で送信可能である第３の時間間隔を示し、各発見クエリ応答メッセージは、発見クエリメッセージに応答し、前記発見クエリ応答メッセージを送信するノードによって提供される１つまたは複数のサービスを示す、
［Ｃ１］に記載の方法。
［Ｃ４］
１つまたは複数のネットワークパラメータを決定することと、
前記１つまたは複数のネットワークパラメータに基づいて、１つまたは複数のビーコンメッセージが前記ワイヤレスデバイスまたは他のワイヤレスデバイスによって送信可能である第２の時間間隔を決定することと、
前記ワイヤレスデバイスが、第２のメッセージを生成すること、前記第２のメッセージは、ビーコン送信ウィンドウ情報を示し、前記ビーコン送信ウィンドウ情報は、前記第２の時間間隔を示す、と、
前記近隣認識ネットワーク上で前記第２のメッセージを送信することと
をさらに備える、［Ｃ１］に記載の方法。
［Ｃ５］
前記発見クエリウィンドウ情報は、発見クエリ間隔の周期性または持続時間をさらに示し、前記発見クエリ応答ウィンドウ情報は、発見クエリ応答ウィンドウの周期性または持続時間をさらに示す、
［Ｃ３］に記載の方法。
［Ｃ６］
前記発見クエリウィンドウ情報は、発見クエリウィンドウの開始時間のクロック基準をさらに示す、
［Ｃ３］に記載の方法。
［Ｃ７］
前記第１の時間間隔は、前記第１のメッセージ中に含まれる近隣認識ネットワーク情報要素の属性中で示される、
［Ｃ１］に記載の方法。
［Ｃ８］
前記第３の時間間隔はまた、非送信請求ブロードキャスト発見メッセージが送信されるときを示す、
［Ｃ３］に記載の方法。
［Ｃ９］
１つまたは複数のネットワークパラメータを決定することと、
前記１つまたは複数のネットワークパラメータに基づいて、１つまたは複数の発見要求メッセージが前記ワイヤレスデバイスまたは他のワイヤレスデバイスによって送信可能である第４の時間間隔を決定することと、
前記１つまたは複数のネットワークパラメータに基づいて、１つまたは複数の発見応答メッセージが前記ワイヤレスデバイスまたは他のワイヤレスデバイスによって送信可能である第５の時間間隔を決定することと、
前記ワイヤレスデバイスによって、第２のメッセージを生成すること、前記第２のメッセージは、前記第４の時間間隔を示す発見要求送信ウィンドウ情報を示し、前記第５の時間間隔を示す発見応答送信ウィンドウ情報をさらに示す、と、
前記近隣認識ネットワーク上で前記第２のメッセージを送信することと
をさらに備える、［Ｃ３］に記載の方法。
［Ｃ１０］
前記１つまたは複数のネットワークパラメータは、同期誤差パラメータ、ネットワークオーバーヘッドパラメータ、およびネットワーク衝突パラメータのうちの１つまたは複数を含む、
［Ｃ９］に記載の方法。
［Ｃ１１］
近隣認識ネットワーク中で動作するワイヤレスデバイス中での電力消費の低減を可能にするための装置であって、
第１のメッセージを生成するように構成されたプロセッサ、前記第１のメッセージは、ビーコン送信ウィンドウ情報を示し、前記ビーコン送信ウィンドウ情報は、１つまたは複数のビーコンメッセージが前記装置または他の装置によって送信可能である第１の時間間隔を示す、と、
前記近隣認識ネットワーク上で前記第１のメッセージを送信するように構成された送信機と
を備える、装置。
［Ｃ１２］
前記ビーコン送信ウィンドウ情報は、ビーコン送信間隔の周期性または持続時間をさらに示す、
［Ｃ１１］に記載の装置。
［Ｃ１３］
前記第１の時間間隔は、前記第１のメッセージ中に含まれる近隣認識ネットワーク情報要素の属性中で示される、
［Ｃ１１］に記載の装置。
［Ｃ１４］
前記第３の時間間隔はまた、非送信請求ブロードキャスト発見メッセージが送信されるときを示す、
［Ｃ１１］に記載の装置。
［Ｃ１５］
前記プロセッサは、
１つまたは複数のネットワークパラメータを決定することと、
前記１つまたは複数のネットワークパラメータに基づいて、１つまたは複数のビーコンメッセージが前記ワイヤレスデバイスまたは他のワイヤレスデバイスによって送信可能である第２の時間間隔を決定することと、
第２のメッセージを生成すること、前記第２のメッセージは、ビーコン送信ウィンドウ情報を示し、前記ビーコン送信ウィンドウ情報は、前記第２の時間間隔を示す、と
を行うようにさらに構成され、
前記送信機は、前記近隣認識ネットワーク上で前記第２のメッセージを送信するようにさらに構成される、
［Ｃ１１］に記載の装置。
［Ｃ１６］
前記メッセージは、発見クエリウィンドウ情報または発見クエリ応答ウィンドウ情報を示し、
前記発見クエリウィンドウ情報は、発見クエリメッセージが前記近隣認識ネットワーク上で送信可能である第２の時間間隔を示し、各発見クエリメッセージは、１つまたは複数のサービスを要求し、
発見クエリ応答ウィンドウ情報は、発見クエリ応答メッセージが前記近隣認識ネットワーク上で送信可能である第３の時間間隔を示し、各発見クエリ応答メッセージは、前記発見クエリメッセージのうちの１つに応答し、前記発見クエリ応答メッセージを送信するノードによって提供される１つまたは複数のサービスを示す、
［Ｃ１１］に記載の装置。
［Ｃ１７］
前記発見クエリウィンドウ情報は、発見クエリ間隔の周期性または持続時間をさらに示し、前記発見クエリ応答ウィンドウ情報は、発見クエリ応答間隔の周期性または持続時間をさらに示す、
［Ｃ１６］に記載の装置。
［Ｃ１８］
前記プロセッサは、
１つまたは複数のネットワークパラメータを決定することと、
前記１つまたは複数のネットワークパラメータに基づいて、１つまたは複数の発見要求メッセージが前記ワイヤレスデバイスまたは他のワイヤレスデバイスによって送信可能である第４の時間間隔を決定することと、
前記１つまたは複数のネットワークパラメータに基づいて、１つまたは複数の発見応答メッセージが前記ワイヤレスデバイスまたは他のワイヤレスデバイスによって送信可能である第５の時間間隔を決定することと、
第２のメッセージを生成すること、前記第２のメッセージが、前記第４の時間間隔を示す発見要求送信ウィンドウ情報を示し、前記第５の時間間隔を示す発見応答送信ウィンドウ情報をさらに示す、と
を行うようにさらに構成され、
前記送信機は、前記近隣認識ネットワーク上で前記第２のメッセージを送信するようにさらに構成された、
［Ｃ１６］に記載の装置。
［Ｃ１９］
前記１つまたは複数のネットワークパラメータは、同期誤差パラメータ、ネットワークオーバーヘッドパラメータ、およびネットワーク衝突パラメータのうちの１つまたは複数を含む、
［Ｃ１８］に記載の装置。
［Ｃ２０］
近隣認識ネットワーク中で動作するとき、ワイヤレスデバイスにおいて電力を節約する方法であって、
ワイヤレスデバイスが、第１のメッセージを受信すること、前記第１のメッセージは、ビーコン送信ウィンドウ情報を示し、前記ビーコン送信ウィンドウ情報は、１つまたは複数のビーコンメッセージが前記ワイヤレスデバイスまたは他のワイヤレスデバイスによって前記近隣認識ネットワーク上で送信可能である第１の時間間隔を含む、と、
前記第１の時間間隔の外のある時間期間中にスリープ状態に入ることと、
前記第１の時間間隔中にビーコンメッセージを受信または送信することと
を備える、方法。
［Ｃ２１］
発見クエリウィンドウ情報または発見クエリ応答ウィンドウ情報を示すメッセージを受信することをさらに備え、
発見クエリウィンドウ情報は、１つまたは複数の発見クエリメッセージが前記近隣認識ネットワーク上で送信可能である第２の時間間隔を示し、各発見クエリメッセージは、１つまたは複数のサービスを要求し、
発見クエリ応答ウィンドウ情報は、発見クエリ応答メッセージが前記近隣認識ネットワーク上で送信可能である第３の時間間隔を示し、各発見クエリ応答メッセージは、発見クエリメッセージに応答し、前記発見応答メッセージを送信するノードによって提供される１つまたは複数のサービスを示す、
前記スリープ状態は、前記第１の時間間隔と前記第２の時間間隔の両方の外のある時間期間中に入る、
［Ｃ２０］に記載の方法。
［Ｃ２２］
前記発見クエリウィンドウ情報は、発見クエリウィンドウの周期性または頻度または持続時間を含み、前記発見クエリ応答情報は、発見クエリ応答ウィンドウの周期性または頻度または持続時間を含む、
［Ｃ２１］に記載の方法。
［Ｃ２３］
発見クエリウィンドウ開始時間およびランダム遅延に基づいて発見クエリメッセージのための送信時間を決定することと、
前記決定された送信時間に前記発見クエリメッセージを送信することと
をさらに備える、［Ｃ２１］に記載の方法。
［Ｃ２４］
前記ランダム遅延は、ＣＳＭＡバックオフ遅延を含む、
［Ｃ２３］に記載の方法。
［Ｃ２５］
前記第２の時間間隔および前記第３の時間間隔は、重複する、
［Ｃ２１］に記載の方法。
［Ｃ２６］
近隣認識ネットワーク中で動作するとき、ワイヤレスデバイスにおいて電力を節約するための装置であって、
メッセージを受信するように構成された受信機と、前記メッセージは、ビーコン送信ウィンドウ情報を示し、前記ビーコン送信ウィンドウ情報は、１つまたは複数のビーコンメッセージが前記装置または他の装置によって前記近隣認識ネットワーク上で送信可能である第１の時間間隔を含む、
前記ワイヤレスデバイスに、前記第１の時間間隔の外のある時間期間中にスリープ状態に入ることを行わせるように構成されたプロセッサと、
前記第１の時間間隔中にビーコンメッセージを受信または送信することを行うように構成された受信機と
を備える、装置。
［Ｃ２７］
発見クエリウィンドウ情報または発見クエリ応答ウィンドウ情報を示すメッセージを受信するように構成された受信機をさらに備え、前記発見クエリウィンドウ情報は、１つまたは複数の発見クエリメッセージは、前記近隣認識ネットワーク上で送信可能である第２の時間間隔を含み、各発見クエリメッセージは、１つまたは複数のサービスを要求し、
前記発見クエリ応答ウィンドウ情報は、１つまたは複数の発見クエリ応答メッセージが前記近隣認識ネットワーク上で送信可能である第３の時間間隔を示し、各発見クエリ応答メッセージは、発見クエリメッセージに応答して送信され、前記発見クエリ応答メッセージの送信機によって提供される１つまたは複数のサービスを示し、
前記プロセッサは、前記ワイヤレスデバイスに、前記第１の時間間隔と前記第２の時間間隔の両方の外のある時間期間中に前記スリープ状態に入ることを行わせるようにさらに構成された、
［Ｃ２６］に記載の装置。
［Ｃ２８］
発見クエリウィンドウ開始時間およびランダム遅延に基づいて発見クエリメッセージのための送信時間を決定するように構成されたプロセッサと、
前記決定された送信時間に前記発見クエリメッセージを送信するように構成された送信機と
をさらに備える、［Ｃ２７］に記載の装置。
［Ｃ２９］
前記ランダム遅延は、ＣＳＭＡバックオフ遅延を含む、
［Ｃ２８］に記載の装置。
［Ｃ３０］
前記発見クエリウィンドウ情報は、発見クエリウィンドウの周期性または頻度または持続時間を含み、前記発見クエリ応答ウィンドウ情報は、発見クエリ応答ウィンドウの周期性または頻度または持続時間を含む、
［Ｃ２７］に記載の装置。